(57)【要約】【構成】読影レポートサーバ１０は、各々が未読影の状態にある１または２以上の読影レポートの中から所定条件に合致する読影レポートを特定し、特定された読影レポートの読影業務に関与する医療従事者のクライアントＰＣ２０に向けて未読影通知メールを送信する。ここで、所定条件は、読影期日に属する基準時刻までの猶予時間が指定時間Ｔ１を下回るという第１時間条件、および検査日に属する基準時刻からの経過時間が指定時間Ｔ２以上であるという第２時間条件を含む。未読影通知メールの送信処理は、第１時間条件または第２時間条件が満足されたときに実行される。【効果】医療従事者が多忙であることに起因して読影忘れが生じる懸念を簡便に軽減することができる。【選択図】図１
2017097399.tif 000002
【特許請求の範囲】
【請求項１】
各々が未読影の状態にある１または２以上の読影レポートの中から所定条件に合致する読影レポートを特定する特定手段、および
前記特定手段によって特定された読影レポートの読影業務に関与する医療従事者の端末に向けて未読影を通知する通知手段を備える読影管理装置であって、
前記所定条件は、
読影期日に属する第１基準時刻までの猶予時間が第１時間を下回るという第１時間条件、および
検査日に属する第２基準時刻からの経過時間が第２時間以上であるという第２時間条件を含む、読影管理装置。
【請求項２】
前記第２時間条件は前記第１時間条件との間で論理和をなす、請求項１記載の読影管理装置。
【請求項３】
前記所定条件は、前記第１時間条件および前記第２時間条件の各々に対して論理積をなし、前記送信手段による前回の送信日に属する第３基準時刻からの経過時間が第３時間以上であるという第３時間条件を含む、請求項１または２記載の読影管理装置。
【請求項４】
指定周期で前記特定手段を起動する起動手段をさらに備える、請求項１ないし３のいずれかに記載の読影管理装置。
【請求項５】
前記通知手段は前記読影レポートへのリンクを示すリンク情報を通知の一部として作成するリンク情報作成手段を含む、請求項１ないし４のいずれかに記載の読影管理装置。
【請求項６】
読影管理装置のプロセッサによって実行される読影管理方法であって、
各々が未読影の状態にある１または２以上の読影レポートの中から所定条件に合致する読影レポートを特定する特定ステップ、および
前記特定ステップによって特定された読影レポートの読影業務に関与する医療従事者の端末に向けて未読影を通知する通知ステップを備え、
前記所定条件は、
読影期日に属する第１基準時刻までの猶予時間が第１時間を下回るという第１時間条件、および
検査日に属する第２基準時刻からの経過時間が第２時間以上であるという第２時間条件を含む、読影管理方法。
【請求項７】
読影管理装置のプロセッサに、
各々が未読影の状態にある１または２以上の読影レポートの中から所定条件に合致する読影レポートを特定する特定ステップ、および
前記特定ステップによって特定された読影レポートの読影業務に関与する医療従事者の端末に向けて未読影を通知する通知ステップを実行させるための読影管理プログラムであって、
前記所定条件は、
読影期日に属する第１基準時刻までの猶予時間が第１時間を下回るという第１時間条件、および
検査日に属する第２基準時刻からの経過時間が第２時間以上であるという第２時間条件を含む、読影管理プログラム。
【発明の詳細な説明】
【技術分野】
【０００１】
この発明は、読影管理装置、読影管理方法および読影管理プログラムに関し、特に、各々が未読影の状態にある１または２以上の読影レポートの中から所定条件に合致する読影レポートを特定し、特定した読影レポートの読影業務に関与する医療従事者に向けて通知を送信する、読影管理装置、読影管理方法および読影管理プログラムに関する。
【背景技術】
【０００２】
国内の医療機関には多数のＣＴやＭＲＩ等の撮影装置（モダリティ）が設置してあるが、全国的に放射線科の医師不足があり、そもそも読影医が不在の医療機関や、読影医がいても人数が少なく、多忙である。そのため、ある患者の次回来院日が１ヶ月後である等の理由で優先度が低いと判断される場合や、検査が多く１日で読影しきれない場合は、読影を後回しにする事がしばしば発生する。
【先行技術文献】
【特許文献】
【０００３】
【特許文献１】特開２００９−７５９２７号公報
【発明の概要】
【発明が解決しようとする課題】
【０００４】
このような場合、主治医は、読影レポートを確認するまで読影レポートが作成されていないことに気がつかない。主治医が読影レポートを確認するのは、受け持ち患者が来院する前日〜数日前であることが多い。
【０００５】
さらには、読影医の不足から読影医が非常勤医であることも多く、常勤の他の医療従事者からの伝達漏れなどから読影忘れを発生しやすい状況にある。非常勤医は複数の医療機関を掛け持ちしていることも多く、なおさら読影忘れを発生しやすい状況と言える。
【０００６】
このような状況があるため、常勤の他の医療従事者が、日々読影忘れがないかチェックを行っている医療機関も多いが、多くの手間とコストがかかっている。なお、読影忘れ防止の必要性は特許文献１からも明らかである。
【０００７】
それゆえに、この発明の主たる目的は、医療従事者が多忙であることに起因して読影忘れが生じる懸念を簡便に軽減することができる、読影レポートシステム、読影レポート処理方法および読影レポート処理プログラムを提供することである。
【課題を解決するための手段】
【０００８】
この発明に係る読影管理装置(10：実施例で相当する参照符号。以下同じ)は、各々が未読影の状態にある１または２以上の読影レポートの中から所定条件に合致する読影レポートを特定する特定手段(S7~S19)、および特定手段によって特定された読影レポートの読影業務に関与する医療従事者の端末(20)に向けて未読影を通知する通知手段(S21~S33)を備える読影管理装置であって、所定条件は、読影期日に属する第１基準時刻までの猶予時間が第１時間(T1)を下回るという第１時間条件、および検査日に属する第２基準時刻からの経過時間が第２時間(T2)以上であるという第２時間条件を含む。
【０００９】
好ましくは、第２時間条件は第１時間条件との間で論理和をなす。
【００１０】
好ましくは、所定条件は、第１時間条件および第２時間条件の各々に対して論理積をなし、送信手段による前回の送信日に属する第３基準時刻からの経過時間が第３時間(T3)以上であるという第３時間条件を含む。
【００１１】
さらに好ましくは、指定周期で特定手段を起動する起動手段(S1)がさらに備えられる。
【００１２】
好ましくは、通知手段は読影レポートへのリンクを示すリンク情報を通知の一部として作成するリンク情報作成手段(S25)を含む。
【００１３】
この発明に係る読影管理方法は、読影管理装置(10)のプロセッサ(102)によって実行される読影管理方法であって、各々が未読影の状態にある１または２以上の読影レポートの中から所定条件に合致する読影レポートを特定する特定ステップ(S7~S19)、および特定ステップによって特定された読影レポートの読影業務に関与する医療従事者の端末(20)に向けて未読影を通知する通知ステップ(S21~S33)を備え、所定条件は、読影期日に属する第１基準時刻までの猶予時間が第１時間(T1)を下回るという第１時間条件、および検査日に属する第２基準時刻からの経過時間が第２時間(T2)以上であるという第２時間条件を含む。
【００１４】
この発明に係る読影管理プログラムは、読影管理装置(10)のプロセッサ(102)に、各々が未読影の状態にある１または２以上の読影レポートの中から所定条件に合致する読影レポートを特定する特定ステップ(S7~S19)、および特定ステップによって特定された読影レポートの読影業務に関与する医療従事者の端末(20)に向けて未読影を通知する通知ステップ(S21~S33)を実行させるための読影管理プログラムであって、所定条件は、読影期日に属する第１基準時刻までの猶予時間が第１時間(T1)を下回るという第１時間条件、および検査日に属する第２基準時刻からの経過時間が第２時間(T2)以上であるという第２時間条件を含む。
【発明の効果】
【００１５】
所定条件に合致する未読影の読影レポートが特定されると、当該読影レポートの読影業務に関与する医療従事者の端末に向けて未読影が通知される。ここで、所定条件は、読影期日に属する第１基準時刻までの猶予時間が第１時間を下回るという条件と、検査日に属する第２基準時刻からの経過時間が第２時間以上であるという条件とを含む。これによって、医療従事者が多忙であることに起因して読影忘れが生じる懸念を簡便に軽減することができる。
【００１６】
この発明の上述の目的，その他の目的，特徴および利点は、図面を参照して行う以下の実施例の詳細な説明から一層明らかとなろう。
【図面の簡単な説明】
【００１７】
【図１】この実施例の読影レポートシステムの構成の一例を示すブロック図である。
【図２】読影レポートシステムに適用される読影レポートサーバの構成の一例を示すブロック図である。
【図３】読影レポートサーバに設けられたＣＰＵの動作の一部を示すフロー図である。
【図４】読影レポートサーバに設けられたＣＰＵの動作の他の一部を示すフロー図である。
【図５】読影レポートシステムに適用されるクライアントＰＣに表示されたメール画面の一例を示す図解図である。
【図６】未読影通知メールの送信時期の一例を示す図解図である。
【発明を実施するための形態】
【００１８】
図１を参照して、この実施例の読影レポートシステムは、院内ＬＡＮ３０およびインターネット５０の間に接続された読影レポートサーバ（読影管理装置）１０と、院内ＬＡＮ３０に接続されかつ読影医や放射線技師などの複数の医療従事者によってそれぞれ操作される複数のクライアントＰＣ２０，２０，…と、院内ＬＡＮ３０およびインターネット５０の間に接続された院内メールサーバ４０とによって構成される。インターネット５０には、外部メールサーバ６０および各種ＳＮＳサーバ７０も接続される。
【００１９】
読影レポートサーバ１０は、図２に示すように構成される。図２によれば、バスＢＳ１には、通信Ｉ／Ｆ１０１，ＣＰＵ１０２，ＤＲＡＭ１０３，通信Ｉ／Ｆ１０４および主記憶装置１０５が接続される。院内ＬＡＮ３０との通信は通信Ｉ／Ｆ１０１によって実行され、インターネット５０との通信は通信Ｉ／Ｆ１０４によって実行される。また、主記憶装置２１０には、多数の読影レポートが保存された読影レポートデータベース１０５ｄｂが設けられる。なお、この実施例では、説明の便宜上、読影医による読影作業が必要な読影レポートのみが読影レポートデータベース１０５ｄｂに保存される。
【００２０】
これを踏まえて、読影レポートには、患者の氏名，年齢，性別等の患者情報や検査日，検査種別，依頼科等の検査情報が記載され、かつ患部の断層を表す１または２以上の参照画像が貼り付けられる。読影レポートの読影期日欄には、必要に応じて読影期日が記載される。
【００２１】
読影レポートの所見欄，診断欄，コメント欄は、読影医に読影を依頼する前の段階では空欄とされ、読影医による入力操作に従って埋められる。読影が完了した読影レポートには“確定”を示す状態識別情報が割り当てられ、読影の途中の読影レポートには“編集中”を示す状態識別情報が割り当てられる。
【００２２】
ＣＰＵ１０２は、医療従事者が多忙であることに起因して読影忘れが生じる懸念を軽減するべく、図３〜図４に示すフロー図に従う処理を実行する。なお、フロー図に相当する制御プログラムは、主記憶装置１０５に保存される。
【００２３】
まずステップＳ１で指定周期（後述する指定時間Ｔ３よりも短い周期であり、たとえば１２時間）が到来したか否かを繰り返し判別する。判別結果がＮＯからＹＥＳに更新されるとステップＳ３に進み、状態識別情報が“確定”および“編集中”のいずれとも異なる１または２以上の読影レポートを、未読影状態の読影レポートとして読影レポートデータベース１０５ｄｂから抽出する。
【００２４】
ステップＳ５では、変数ｎの初期値を“０”に設定し、変数ｎの終値を“抽出した読影レポート数−１”に設定し、増分値を“１”に設定する。ステップＳ７では、ｎ番目の読影レポートに読影期日が記載されているか否かを判別する。判別結果がＮＯであればステップＳ１３に進み、判別結果がＹＥＳであればステップＳ９に進む。
【００２５】
ステップＳ９では、読影期日に属する基準時刻（たとえば９：００ａｍ）までの猶予時間を算出し、続くステップＳ１１では算出された猶予時間が指定時間Ｔ１（たとえば４８時間）を下回るか否かを判別する。判別結果がＮＯであればステップＳ１３に進み、判別結果がＹＥＳであればステップＳ１７に進む。
【００２６】
ステップＳ１３では、ｎ番目の読影レポートに記載された検査日を検出し、検出された検査日に属する基準時刻（たとえば５：００ｐｍ）からの経過時間を算出する。ステップＳ１５では算出された経過時間が指定時間Ｔ２（たとえば１２０時間）以上であるか否かを判別し、判別結果がＮＯであればステップＳ３７に進む一方、判別結果がＹＥＳであればステップＳ１７に進む。
【００２７】
ステップＳ１７では、ｎ番目の読影レポートに割り当てられた前回通知日時からの経過時間を算出する。前回通知日時の割り当ては、後述するステップＳ３５で実行される。したがって、最初のステップＳ１７の処理の時点では、前回通知日時は“ｎｕｌｌ”を示す。この場合、ステップＳ１７で算出された経過時間は不定となる。
【００２８】
ステップＳ１９では、算出された経過時間が指定時間Ｔ３（たとえば２４時間）以上または不定であるか否かを判別する。判別結果がＮＯであれば、つまり経過時間が指定時間Ｔ３未満であれば、ステップＳ３７に進む。これに対して、判別結果がＹＥＳであれば、つまり経過時間が指定時間Ｔ３以上であるか或いは不定であれば、ステップＳ２１に進み、ｎ番目の読影レポートの内容を参照してメール本文を作成する。メール本文を表すテキストデータは、ＤＲＡＭ１０３上で保持される。
【００２９】
ステップＳ２３では、通知に使用するサーバを判別する。通知に使用するサーバが院内メールサーバ４０であればステップＳ２５に進み、通知に使用するサーバが外部メールサーバ６０または各種ＳＮＳサーバ７０であればステップＳ３１に進む。
【００３０】
ステップＳ２５では、ｎ番目の読影レポートとのリンクを示すリンク情報を作成する。ステップＳ２７では、ステップＳ２１で作成されたメール本文とステップＳ２７で作成されたリンク情報とを含む未読影通知メールをＤＲＡＭ１０３上で作成する。作成された未読影通知メールは、独自フォーマットに従う。
【００３１】
ステップＳ２９では、作成された未読影通知メールを院内メールサーバ４０内の指定メールボックスに格納するべく、当該未読影通知メールを院内メールサーバ４０に送信する。このとき、未読影通知メールは、通信Ｉ／Ｆ１０１から送出され、院内ＬＡＮ３０上を転送される。
【００３２】
また、指定メールボックスは、ｎ番目の読影レポートの読影業務に関与する医療従事者用のクライアントＰＣ２０のメールボックスであり、特に読影業務を依頼された読影医用のクライアントＰＣ２０のメールボックスを含む。指定メールボックスに格納された未読影通知メールはその後、院内ＬＡＮ３０を経て、指定メールボックスに対応するクライアントＰＣ２０に送信される。
【００３３】
送信先のクライアントＰＣ２０で読影レポートソフトウェアを起動すると、図５に示す画面が表示される。図５によれば、「メール」タブをクリックしたとき、未読影通知メールの見出しがメール見出し欄ＭＩＰ１に表示され、未読影通知メールの本文がメール本文欄ＭＴＰ１に表示され、リンク先の読影レポートの見出しがレポート見出し欄ＲＩＰ１に表示される。リンク先の読影レポートの見出しをクリックすると、リンク先の読影レポートが画面に多重表示され、所見，診断，コメントの入力操作が可能となる。
【００３４】
図４に戻って、ステップＳ３１では、ステップＳ２１で作成されたメール本文を含む未読影通知メールをＤＲＡＭ１０３上で作成する。作成された未読影通知メールは、外部メールサーバ６０または各種ＳＮＳサーバ７０のフォーマットに従う。ステップＳ３３では、作成された未読影通知メールを外部メールサーバ６０または各種ＳＮＳサーバ７０内の指定メールボックスに格納するべく、当該未読影通知メールを外部メールサーバ６０または各種ＳＮＳサーバ７０に送信する。このとき、未読影通知メールは、通信Ｉ／Ｆ１０４から送出され、インターネット５０上を転送される。
【００３５】
ここでも、指定メールボックスは、ｎ番目の読影レポートの読影業務に関与する医療従事者用のクライアントＰＣ２０のメールボックスであり、特に読影業務を依頼された読影医用のクライアントＰＣ２０のメールボックスを含む。指定メールボックスに格納された未読影通知メールはその後、インターネット５０および院内メールサーバ４０を経て、指定メールボックスに対応するクライアントＰＣ２０に送信される。
【００３６】
ステップＳ２９またはＳ３３の処理が完了するとステップＳ３５に進み、ｎ番目の読影レポートに割り当てられた前回通知日時を現時点の日時に更新する。ステップＳ３７では変数ｎをインクリメントし、その後にステップＳ７に戻る。ステップＳ７〜Ｓ３７の処理は、ステップＳ３で抽出された全ての読影レポートに対して実行される。抽出された全ての読影レポートに対する処理が完了すると、ステップＳ１に戻る。
【００３７】
以上の説明から分かるように、読影レポートサーバ１０のＣＰＵ１０２は、各々が未読影の状態にある１または２以上の読影レポートの中から所定条件に合致する読影レポートを特定し(7~S19)、特定された読影レポートの読影業務に関与する医療従事者のクライアントＰＣ２０に向けて未読影通知メールを送信する(S21~S33)。ここで、所定条件は、読影期日に属する基準時刻（９：００ａｍ）までの猶予時間が指定時間Ｔ１（４８時間）を下回るという第１時間条件、および検査日に属する基準時刻（５：００ｐｍ）からの経過時間が指定時間Ｔ２（１２０時間）以上であるという第２時間条件を含む。
【００３８】
より詳しくは、所定条件に合致する読影レポートを特定する処理は、指定周期（１２時間）が到来する毎に実行される。また、未読影通知メールを送信する処理は、第１時間条件または第２時間条件が満足されたときに実行される。
【００３９】
上述の時刻設定および時間設定に従うと、図６に示すように、未読影通知メールは、検査日の午後５時から１２０時間経過した後に１２時間毎に送信され、さらに読影期日の午前９時よりも４８時間前から１２時間毎に送信される。これによって、医療従事者が多忙であることに起因して読影忘れが生じる懸念を簡便に軽減することができる。
【００４０】
なお、この実施例では、院内に設けられたクライアントＰＣ２０に未読影通知メールを送信するようにしている。しかし、未読影通知メールの送信先としては、医療従事者が携帯する携帯電話・スマートフォン等のモバイル端末も想定できる。この場合、未読影通知メールは、外部メールサーバ６０または各種ＳＮＳサーバ７０を介してモバイル端末に送信される。
【００４１】
また、この実施例では、未読影通知メールを送信するに際して、第１時間条件および第２時間条件のいずれか一方が満足されることを要求している。しかし、読影期日を必ず設定する前提で、未読影通知メールを送信するに際して、第１時間条件および第２時間条件の両方を満足することを要求するようにしてもよい。
【符号の説明】
【００４２】
１０  …サーバＰＣ
２０  …クライアントＰＣ
３０  …院内ＬＡＮ
４０  …院内メールサーバ
１０２  …ＣＰＵ
１０５  …主記憶装置
１０５ｄｂ  …読影レポートデータベース
【図１】
2017097399.tif 000003
【図２】
2017097399.tif 000004
【図３】
2017097399.tif 000005
【図４】
2017097399.tif 000006
【図５】
2017097399.tif 000007
【図６】
2017097399.tif 000008